(57)【特許請求の範囲】
【請求項１】
遊技機の側部上下に配設されてベース部材に対して開閉部材を揺動開閉自在にヒンジ接続させる上下一対の蝶番装置における少なくとも一方の蝶番装置であって、ベース部材および開閉部材のいずれか一方の部材に固設された第１ヒンジ部材と、他方の部材に固設された第２ヒンジ部材とからなり、
前記第１ヒンジ部材は、前記一方の部材に固設されて水平前方に延びた第１ヒンジ側板状部と、前記第１ヒンジ側板状部に上方もしくは下方に突出して取り付けられた支軸とを有して構成され、
前記第２ヒンジ部材は、前記他方の部材に固設されて水平に突出するとともに側方に開口した第１導入部を有する第１軸支持孔が形成された第２ヒンジ側板状部と、前記第１軸支持孔と同軸に且つ上下に連通するとともに側方に開口した第２導入部を有する第２軸支持孔が形成されて前記第２ヒンジ側板状部の上に重ねて回動可能に取り付けられた保持部材とから構成され、
前記保持部材の回動位置を調整して前記第２導入部を前記第１導入部と上下に重なって同一方向に開口させた状態で、前記支軸を前記第１および前記第２導入部を通って前記第１および前記第２軸支持孔内に入り込ませた後、前記第２導入部が前記第１導入部から外れる位置まで前記保持部材を回動させることにより前記支軸を前記第１および前記第２軸支持孔内に入り込んだ状態で保持して前記第１および前記第２ヒンジ部材をヒンジ接続するように構成され、
前記支軸が、前記第１ヒンジ側板状部に基端部が固定されて上方もしくは下方に突出する円筒部から構成され、
前記円筒部に互いに対向する平行な垂直面からなる左右一対の平面部が形成されて前記平面部より左右両側において外周側が切り取られた形状に形成されており、
前記第２ヒンジ側板状部における前記第１導入部を形成する左右一対の開口壁面の間隔が前記円筒部における前記左右一対の平面部の間隔より僅かに大きく設定されており、
前記保持部材における前記第２導入部を形成する左右一対の開口壁面の間隔が前記円筒部における前記左右一対の平面部の間隔より僅かに小さく設定されており、
前記支軸を前記第１および前記第２導入部を通って前記第１および前記第２軸支持孔内に入り込ませるときに、前記左右一対の平面部が前記第２導入部の左右一対の開口壁面と当接するようにして前記支軸を前記第２導入部に入り込ませることにより前記第２導入部を押し広げるように前記保持部材を弾性変形させて前記支軸を前記第２軸支持孔内に入り込ませることができ、且つ前記左右一対の平面部が前記第１導入部の左右一対の開口壁面間をスムーズに通過して前記支軸を前記第１支持孔内に入り込ませることができるように構成されていることを特徴とする遊技機の蝶番装置。
【請求項２】
前記第２ヒンジ側板状部が鋼板から形成され、前記保持部材が硬質樹脂材料から形成されていることを特徴とする請求項１に記載の遊技機の蝶番装置。
【発明の詳細な説明】
【０００１】
【発明の属する技術分野】
本発明は、ベース部材と開閉部材との間に配設されて、ベース部材と開閉部材とを相対的に揺動開閉自在に接続する蝶番装置に関する。
【０００２】
【従来の技術】
上記のような蝶番装置は遊技機に多用されており、その一例として、パチンコ機における外枠と前枠との間に配設される蝶番装置があげられる。パチンコ機の蝶番装置は、外郭方形状の開口を有する外枠とこの開口面域に合わせた開閉搭載用の前枠との互いの正面左側上下に配設された上下一対の蝶番装置からなる。上下の蝶番装置はそれぞれ、図１０に示すように、水平に配設された第１板状部８０１に軸支持孔８０２が形成された第１ヒンジ部材８００と、水平に配設された第２板状部８０６から上方に突出する支軸８０７が固設された第２ヒンジ部材８０５とから構成される。このような構成の上下一対の蝶番装置において、軸支持孔８０２内に支軸８０７を嵌入させて第１および第２ヒンジ部材８００，８０５を水平に相対回動自在に接続させることにより、外枠に対して前枠を揺動開閉および着脱可能に支持するように構成している。
【０００３】
ところが、上記のような従来の蝶番装置では、外枠に対して前枠を装着しようとするときに、上下両方の蝶番装置の軸支持孔８０２と支軸８０７とをともに位置合わせして（軸心を一致させて）係合させなければならず、作業が容易でないという問題があった。特に、遊技施設内での装着にあっては、外枠が遊技島に固定されて移動不能であるとともに、前枠には遊技盤や裏機構盤、制御装置等が組み込まれて相当な重量（例えば、１５〜２０kg）を有しており、さらに蝶番装置が重心位置と離れた側方に位置しているため、上下２カ所の位置決めを行う装着作業が極めて困難であるという問題があった。
【０００４】
このような問題に鑑みて、例えば、図１１に示すように、第１ヒンジ部材８００′の板状部８０１に外側面から軸支持孔８０２に繋がる導入開口８０３を形成し、第２ヒンジ部材８０５′の支軸８０７の左右を平面状にカットして平面部８０７ａ，８０７ａを形成し、支軸８０７の左右平面部８０７ａ，８０７ａの幅が導入開口８０３の幅より僅かに狭くなるように構成することが知られている。この構成では、支軸８０７の左右平面部８０７ａ，８０７ａを導入開口８０３を通過させることにより支軸８０７を側方から軸支持孔８０２内に挿入させることができ、この状態で第１および第２ヒンジ部材８００′，８０５′を水平に相対回動させれば、左右平面部８０７ａ，８０７ａが軸支持孔８０２内に回動自在に保持される。このように構成すれば、軸支持孔８０２と支軸８０７とを上下に位置合わせすることなく支軸８０７を横方向に移動させて軸支持孔８０２内に嵌入させることができるため、外枠に前枠を取り付ける作業が簡単となる。
【０００５】
【発明が解決しようとする課題】
しかしながら、この構成の場合は、軸支持孔８０２の導入開口８０３と支軸８０７の左右平面部８０７ａ，８０７ａとが対向する位置まで前枠を回動させると支軸８０７が軸支持孔８０２から外れ出て、前枠が外れるという問題がある。なお、導入開口８０３の位置を前枠の回動範囲から外れた位置に設けて上記問題を防止することが考えられるが、導入開口の配設位置が制限されるとともに前枠の組立時には導入開口と支軸の左右平面部が対向する位置に前枠を位置させる必要があり、前枠の組立作業が難しくなるおそれがあるという問題がある。
【０００６】
本発明は、上記問題や課題に鑑みて成されたものであり、簡明な構成で外枠等に対して前枠等を容易に着脱させることができるとともに、一旦装着した後は、その回動位置に拘わらず前枠等を外れることなくしっかりと保持することができるような構成の遊技機の蝶番装置を提供することを目的とする。
【０００７】
【課題を解決するための手段】
上記問題および課題を解決して目的を達成するため、本発明に係る蝶番装置は、遊技機の側部上下に配設されてベース部材（例えば、実施形態における外枠１）に対して開閉部材（例えば、実施形態における前枠２）を揺動開閉自在にヒンジ接続させる上下一対の蝶番装置における少なくとも一方の蝶番装置であって、ベース部材および開閉部材のいずれか一方の部材に固設された第１ヒンジ部材（例えば実施形態における上固定金具１０）と、他方の部材に固設された第２ヒンジ部材（例えば実施形態における上揺動金具３０）とから構成される。そして、第１ヒンジ部材は上記一方の部材に固設されて水平前方に延びた第１ヒンジ側板状部と、この第１ヒンジ側板状部に上方もしくは下方に突出して取り付けられた支軸を有して構成され、第２ヒンジ部材は、上記他方の部材に固設されて水平に突出するとともに側方に開口した第1導入部を有する第１軸支持孔が形成された第２ヒンジ側板状部と、第１軸支持孔と同軸に且つ上下に連通するとともに側方に開口した第２導入部を有する第２軸支持孔が形成されて第２ヒンジ側板状部の上に重ねて回動可能に取り付けられた保持部材とから構成され、保持部材の回動位置を調整して第２導入部を第１導入部と上下に重なって同一方向に開口させた状態で、支軸を第１および第２導入部を通って第１および第２軸支持孔内に入り込ませた後、第２導入部が第１導入部から外れる位置まで保持部材を回動させることにより支軸を前記第１および第２軸支持孔内に入り込んだ状態で保持して第１および第２ヒンジ部材をヒンジ接続するように構成されている。
【０００８】
上記のように構成された本発明に係る蝶番装置によれば、ベース部材（外枠）に対して開閉部材（前枠）を接続させるときに、上下２カ所の軸支持孔と支軸とを同時に位置合わせ（芯出し）して係合させるような微妙な調整操作が必要なく、少なくとも一方の蝶番装置については第１ヒンジ部材に対して第２ヒンジ部材を側方から近づけて第１ヒンジ部材の支軸を第２ヒンジ部材の導入部を通って軸支持孔内に導入させた後に、保持部材により支軸を軸支持孔内に保持させるだけで、第１および第２ヒンジ部材を簡単にヒンジ結合させることができる。このようにヒンジ結合した状態では、支軸は保持部材により保持されて軸支持孔から外れ出ないようになっているため、開閉部材をどのような開閉位置に回動させてもヒンジ結合がしっかりと維持される。このため、板状部への導入開口の配設位置が制限されることがなく、前枠の組立が行い易い位置に導入開口を形成して前枠の組立作業を容易にすることができる。
【０００９】
また、導入部は軸支持孔の側方に開口しているため、開閉部材の重量によりヒンジ接続部に水平前方に作用する力は、軸支持孔における導入部を外れた内面と軸状体との当接により受け止める。すなわち、開閉部材の重量によりヒンジ接続部に水平前方に作用する力は板状部により受けることができ、十分な強度を確保できる。一方、保持部材は上記水平前方に作用する力を受け止める必要はないため大きな強度は要求されず、保持部材を樹脂等から作ってコスト低減を図ることが可能である。
【００１０】
本発明に係る蝶番装置においては、さらに、支軸が、第１ヒンジ側板状部に基端部が固定されて上方もしくは下方に突出する円筒部から構成され、この円筒部に互いに対向する平行な垂直面からなる左右一対の平面部が形成されて平面部より左右両側において外周側が切り取られた形状に形成されており、第２ヒンジ側板状部における第１導入部
を形成する左右一対の開口壁面の間隔が円筒部における左右一対の平面部の間隔より僅かに大きく設定されており、保持部材における第２導入部を形成する左右一対の開口壁面の間隔が円筒部における左右一対の平面部の間隔より僅かに小さく設定されている。
そして、支軸を第１および第２導入部を通って第１および第２軸支持孔内に入り込ませるときに、左右一対の平面部が第２導入部の左右一対の開口壁面と当接するようにして支軸を第２導入部に入り込ませることにより第２導入部を押し広げるように保持部材を弾性変形させて支軸を第２軸支持孔内に入り込ませることができ、且つ左右一対の平面部が第１導入部の左右一対の開口壁面間をスムーズに通過して支軸を第１支持孔内に入り込ませることができるように構成されている。
なお、この場合に、好ましくは、第２ヒンジ側板状部が鋼板から形成され、保持部材が硬質樹脂材料から形成される。
【００１３】
【発明の実施の形態】
以下、本発明に係る遊技機の蝶番装置について、添付図面を参照しながら説明する。実施例では遊技機の一例としてパチンコ機を採り上げ、外枠に対して前枠を揺動開閉および着脱自在に連結する蝶番装置に本発明を適用した場合を主として説明する。まず、本実施例の蝶番装置が適用されるパチンコ機ＰＭについてその概要構成を、図１を参照して要約説明する。
【００１４】
パチンコ機ＰＭは外郭方形枠サイズに構成されて縦向きの固定保持枠を成す外枠１の開口前面に、これに合わせた方形枠サイズに構成されて開閉搭載用の前枠２が互いの正面左側上下に配設された蝶番装置Ｈ1，Ｈ2で横開き開閉および着脱が可能に取り付けられ、正面右側に設けられた施錠装置４を利用して外枠１と係合された閉鎖状態で遊技に供される。
【００１５】
前枠２の各部にはパチンコ遊技を展開する遊技展開部材として、前枠２の前側面域に合わせてガラス扉５及び上球皿６が左側部に設けられた蝶番装置（図示せず）を利用してともに横開き開閉及び着脱が可能に組付けられる一方、上球皿６の下部に下球皿７、操作ハンドル８及び打球発射装置等が装備されている。前枠２の裏側には、この前枠２と一体成形された収容枠に所定のゲージ設定で構成された遊技盤９が着脱可能にセット保持され、収容枠の裏側に球貯留部や賞球払出機構等を有する裏機構盤（図示せず）が開閉及び着脱可能に装備されている。裏機構盤の各部には主制御基板やターミナル基板、音声基板等の各種基板や電子部品などが取り付けられ、各機器が図示しないワイヤーハーネスで接続されている。なお、パチンコ機ＰＭは、全体が所要の後傾角度（例えば、１度以内の後傾角）で縦向きに保持される。
【００１６】
外枠１と前枠２とを揺動開閉および着脱自在にヒンジ結合する上下一対の蝶番装置Ｈ1，Ｈ2のうち、下側の蝶番装置Ｈ2は、その斜視図を図２に示すように、外枠１の左側下部に固設される下固定金具１１０と、前枠２の左側下部に固設される下揺動金具１３０とから構成される。
【００１７】
下固定金具１１０は、外枠１の内周に固定される固定側基部１１１と、この固定側基部が直角に折り曲げられて前方に水平に突出する固定側板状部１１２と、固定側板状部の前端部に固着されて上方に突出する支軸１１５とからなり、所定板厚の鋼板を打ち抜きおよび曲げ成形して図示する形状に形成した後、外枠１の左下部にリベットおよびねじ等の締結手段を用いて固設される。下固定金具１１０は、直角に折り曲げられた固定側基部１１１の外面と固定側板状部１１２の底面とで、外枠１の内側の直交２面（左内側面および上面）に当接して、左右および上下方向に位置決めされるとともに、固定側板状部１１２の後側端面で外枠２の前面に当接して前後方向に位置決めされ、これにより外枠１に対する支軸１１５の軸線、すなわち揺動軸Ａxが位置決めされる。なお、支軸１１５の上端部は円錐状に形成されており、後述する軸支持孔１３５との嵌合を容易化している。
【００１８】
下揺動金具１３０は、前枠２の裏面側に固定される揺動側基部１３１と、この揺動側基部１３１から直角に折り曲げられて前方に水平に突出する揺動側板状部１３２とからなり、揺動側板状部１３２の前端部には上記支軸１１５と嵌合可能な軸支持孔１３５が穿設されて構成される。下揺動金具１３０は下固定金具１１０と同様に所定板厚の鋼板を打ち抜きおよび曲げ成形して図示する形状に形成した後、前枠２の左下部裏面にねじ等の図示しない締結手段を利用して固設される。下揺動金具１３０は、揺動側基部１３１が前枠２の裏面にねじ締結されることで前後、左右および上下方向に位置決めされ、前枠２に対する軸支持孔１３５の軸線が位置決めされる。
【００１９】
このように構成される下側の蝶番装置Ｈ2は、下固定金具の支軸１１５に上方から軸支持孔１３５を同軸上に位置決めして前枠２を下動させ、支軸１１５と軸支持孔１３５とを嵌合接続させることでヒンジ結合され、支持面部１１２で被支持面部１３２を支持して外枠２に対して前枠２を揺動軸Ａxまわりに揺動開閉自在に接続する。
【００２０】
このような構成の下側の蝶番装置Ｈ2と組み合わせて設けられる上側の蝶番装置Ｈ1の好ましい実施形態について以下に説明する。この蝶番装置Ｈ1はその斜視図を図３に示すように、外枠１の左側上部に固設される上固定金具１０（第１ヒンジ部材）と、前枠２の左側上部に固設される上揺動金具３０（第２ヒンジ部材）とから構成され、後述するように上固定金具１０と上揺動金具３０とがヒンジ結合される。なお、図３は上固定金具１０と上揺動金具３０とをヒンジ結合させる以前の状態を斜視図として示しており、以下、図４〜図９にこれら金具およびそれを用いた外枠１に対する前枠２のヒンジ結合作動を示すが、これら各図は蝶番装置を明瞭に示すためガラス扉５を取り外した状態で記載している。
【００２１】
上固定金具１０は、外枠１の左上方角部に固定される固定側基部１１と、この固定側基部１１から前方に向けて水平に突出する固定側板状部１５と、固定側板状部１５の上面に上方に突出して取り付けられた支軸２０とを有して構成される。固定側基部１１は、外枠１の左上部に形成された上部取付面に固着される上辺部１２と、上辺部１２と直交し外枠１の左外側面に形成された側部取付面に固着される側辺部１３と、上辺部１２および側辺部１３と直交し外枠１の前端面に当接する前辺部１４とからなり、前辺部１４の下端に繋がって固定側板状部１５が水平前方に延びている。すなわち、上固定金具１０は、固定側基部１１と固定側板状部１５とが所定板厚の鋼板を打ち抜きおよびプレス成形して図示する形状に一体形成された後、上記直交する三辺１２，１３，１４で外枠１の左上方角部に位置決めされ、ビス１２ａ，１３ａ等により外枠１に固定される。
【００２２】
固定側板状部１５には、上記のように固定側基部１１が外枠１に固定された状態で、図２に示す下側の蝶番装置Ｈ2における下固定金具１１０の支軸１１５の軸芯Ａｘと同軸に延びて且つ上方に突出して支軸２０が取り付けられている。この支軸２０は、図８から分かるように、下端側にフランジ部２１が設けられた円筒部２２を有して構成され、固定側板状部１５に形成された貫通孔１６に円筒部２２を下面側から圧入して取り付けられている。この圧入時にフランジ部２１は固定側板状部１５の下面に当接して圧入位置決めがなされ、このように圧入された状態で円筒部２２における固定側板状部１５の上面から上方に突出する部分に左右一対の垂直面からなる平面部２３，２３が形成されている。これら平面部２３，２３は外枠１の垂直な前面と平行に延びて位置するように支軸２０が固定側板状部１５に取り付けられている。なお、円筒部２２の上端には円錐状に面取り２２ａが設けられている。
【００２３】
一方、上固定金具１０にヒンジ接続される上揺動金具３０は、前枠２の裏面側に固定される揺動側基部３１と、この揺動側基部３１から直角に折り曲げられて前方に水平に突出する揺動側板状部３２と、揺動側板状部３２の上に回動可能に取り付けられる保持部材４０とから構成される。揺動側基部３１および揺動側板状部３２は、所定板厚の鋼板を打ち抜きおよび曲げ成形して図示する形状に成形した後、前枠２の左上部裏面にネジ３８等の締結手段を利用して固定される。なお、揺動側基部３１には一対の取り付け位置決め突起３１ａが設けられており、前枠２が外枠１に閉止されたときに、外枠１に形成された取り付け位置決め凹部（図示せず）内に突起３１ａが嵌入して、位置決め保持される。
【００２４】
この上揺動金具３０において、揺動側板状部３２から保持部材４０を取り外した状態を図４および図５に示しており、これらの図から分かるように、揺動側板状部３２には側方に開口した第１導入部３４を有した第１軸支持孔３３が形成されている。この第１導入部３４を形成する一対の開口壁面３５，３５の間隔Ｂは、上固定金具１０の支軸２０における一対の平面２３，２３の幅Ａとほぼ等しく（間隔Ｂが間隔Ａより僅かに大きく）設定されており、平面２３，２３が開口壁面３５，３５の間の第１導入部３４を通るようにして、支軸２０が第１軸支持孔３３内に入り込むことができるようになっている。このとき、支軸２０の導入を補助するため、上記開口壁面３５の外周側には外側に広がるテーパ状となった導入ガイド面３５ａが形成されている。なお、第１軸支持孔３３の直径は支軸２０の円筒部２２の直径より僅かに大きく且つ第１導入部３４の間隔Ｂより十分大きく設定されている。また、揺動側板状部３２には第１軸支持孔３３を挟んで一対のネジ孔３６が形成されている。
【００２５】
保持部材４０は、例えば、硬質樹脂材料を成形して作られ、円盤状のフランジ部４１と、このフランジ部４１から上方に突出する外形が多角形（本例では、八角形）状の柱状部４５とから構成され、中央にフランジ部４１および柱状部４５を上下に貫通する第２軸支持孔４６が形成されている。フランジ部４１および柱状部は一部が外周側に広がる扇状に切り欠かれて第２導入部４２が形成されている。この第２導入部４２を形成する左右一対の開口壁面４３，４３の内周端４３ａ，４３ａの間隔Ｃは、上固定金具１０の支軸２０における一対の平面２３，２３の幅Ａより若干狭く設定されており、平面２３，２３が第２導入部４２を通って支軸２０が第２軸支持孔４６内に入り込むときに、第２導入部４２を押し広げるように保持部材４０を弾性変形させるようになっている。このため、支軸２０を第２軸支持孔４６内に押し込む力が必要であるが、支軸２０が第２軸支持孔４６内に入り込んだときには、保持部材４０の弾性変形が元に戻って支軸２０を第２軸支持孔４６内で仮支持させることができる。
【００２６】
フランジ部４１には柱状部４５を挟んで一対の周方向に延びる長孔４４，４４が図示のように上下に貫通して形成されている。保持部材４０は、この長孔４４を通した取付ネジ４９をネジ孔３６に螺合させて揺動側板状部３２の上に図３に示すように取り付けられる。なお、このように取り付けられるとき取付ネジ４９の締結力は所定の値に設定され、この状態のまま保持部材４０を回動させることができるようにされる。このときの保持部材４０の回動量は取付ネジ４９が通る長孔４４の周方向長さにより決まる。保持部材４０の柱状部４５の外周面は八角状に形成されているため、スパナ等の工具を用いて保持部材４０を容易に回動させることができる。
【００２７】
なお、このように構成される上下の蝶番装置Ｈ1，Ｈ2において、下固定金具１１０における固定側板状部１１２の上面と上固定金具１０における固定側板状部１５の上面の間隔（上下の支持面の間隔）、および下揺動金具１３０における揺動側板状部１３２の下面と上揺動金具３０における揺動側板状部３２の下面との間隔（上下の被支持面の間隔）は、略同一となるように設定されている。
【００２８】
以上のように構成される蝶番装置Ｈ1，Ｈ2をヒンジ結合させるときの作動について以下に説明する。図３，図４、図６（ａ）等に示すように外枠１と前枠２とが分離された状態から上下の蝶番装置Ｈ1，Ｈ2を連結接続させる場合に、作業者はまず下側の蝶番装置Ｈ2に着目し、外枠側の下固定金具１１０と前枠側の下揺動金具１３０とを連結させる。すなわち、下固定金具の支軸１１５に軸孔１３５を位置決めして前枠２を上方から下動させ、支軸１１５と軸孔１３５とを嵌合接続させ、支持面部１１２で被支持面部１３２を支持させる。これにより、前枠２の重量が下固定金具１０で支持され、嵌合接続点を中心とした円錐状の角度範囲内で前枠２を容易に傾動させることができるようになる。
【００２９】
次いで、作業者は上側の蝶番装置Ｈ1に着目し、外枠側の上固定金具１０と前枠側の上揺動金具３０との連結操作を行う。連結操作は下側の蝶番装置Ｈ2で支持されている前枠２を傾動させて上揺動金具３０を上固定金具１０の右側方から接近させて行う（図６（ａ）の矢印Ｐ参照）。但し、このときには、上揺動金具３０において、揺動側板状部３２の第１導入部３４と保持部材４０の第２導入部４２が上下に連通するように保持部材４０の回動位置を設定しておく（図６（ａ）および図８（ａ）の状態）。そして、支軸２０をこれら第１および第２導入部３４，４２を通過させて上下に繋がる第１および第２軸支持孔３３，４６内に入り込ませるように、前枠２を傾動させる。
【００３０】
これにより、支軸２０の平面２３，２３が第１および第２導入部３４，４２の間を通過して支軸２０が第１および第２軸支持孔３３，４６内に入り込む。このとき、上述したように、支軸２０は第１導入部３４をほぼ抵抗無く侵入可能であるが、第２導入部４２を通って支軸２０が第２軸支持孔４６内に入り込むときに第２導入部４２を押し広げるように保持部材４０を弾性変形させるようになっているため、支軸２０を所定の押し込み力を加えて第２軸支持孔４６内に押し込む必要がある。このようにして、支軸２０が第１および第２軸支持孔３３，４６内に入り込ませたときに、保持部材４０の弾性変形が元に戻って支軸２０は第１および第２軸支持孔３３，４６内で仮支持される。このため、この状態で前枠２のふらつき（自由傾動）が抑制され、前枠２は外枠１に安定した状態で結合保持される。この状態を、図７および図８（ａ）に示している。但し、このままでは、前枠２の上部を左側方に押すと、支軸２０が保持部材４０の第２導入部４２を押し広げて第１および第２軸支持孔３３，４６から抜け出す。
【００３１】
そこで、作業者は、保持部材４０の柱状部４５の外面にスパナ等を係合させて保持部材４０を図６（ｂ）および図８（ｂ）に示す位置まで回動させる。このように保持部材４０を回動させることにより、第１導入部３４に対して第２導入部４２の位置がずれ、結果的に第２導入部４２により支軸２０が第１および第２軸支持孔３３，４６から抜け出すのを阻止する。これにより、前枠２を上下の蝶番装置Ｈ1，Ｈ2を用いて外枠１にヒンジ結合させる作業が完了し、このことから分かるように非常に簡単にヒンジ結合作業を行うことができる。
【００３２】
一方、前枠２の取り外しは、前枠２を外枠１に対して所定角度開放させた状態で、そのまま上方に引き上げる簡単な操作で達成される。すなわち、前枠２を上方に引き上げることにより、上側の蝶番装置Ｈ1における揺動側板状部３２（第１および第２軸支持孔３３，４６）が上動されて支軸２０の上側に外れ、同時に下側の蝶番装置Ｈ2における軸孔部１３５が上動されて軸後部１３５と支軸１１５との係合が解除され、上下の蝶番装置Ｈ1，Ｈ2のヒンジ結合がともに解除されるので、そのまま前枠２を取り外すことができる。
【００３３】
このように、上記蝶番装置Ｈ1，Ｈ2によれば、外枠１に前枠２を取り付けるときに、上下の蝶番装置における支軸と軸支持孔（係合孔）とを同時に位置決めさせる必要がなく、一カ所ずつ位置決めし係合させればよいため、重量物たる前枠２を外枠１に容易にヒンジ接続させることができる。一方、取り外し作業に際しては、前枠２を上方に引き上げるというだけの簡単な操作で外枠１に対するヒンジ接続を解除させることができる。
【００３４】
なお、外枠１に対して前枠２を開放させて支持させたときには、前枠２の重量により上側の蝶番装置に前枠２の開放端側（反連結側、すなわち施錠装置４側）を押し下げるようなモーメントが作用し、このモーメントは上固定金具１０を前枠２の開放方向すなわち前方に引っ張る力として作用する。本発明の蝶番装置Ｈ1においては、このような力は、第１軸支持孔３３の後側内面（図４におけるハッチングＤを施した部分）に支軸２０が当接することにより受け止め、強度の高い揺動側板状部３２により支持して、高い長期信頼性と操作性とを両立させている。なお、このように揺動側板状部３２により上記力を受けるようにしているため、保持部材４０により上記力を受ける必要がなく、保持部材４０を樹脂等により作ってコスト低減を図ることができる。
【００３５】
上記のようにして外枠１に前枠２をヒンジ結合させて取り付けた状態で、前枠３をほぼ９０度解放した状態と、完全に閉止した状態とを図９（ａ）および図９（ｂ）に示している。この図において、矢印Ｑが前枠２の重量により発生するモーメントに基づいて上側の蝶番装置Ｈ1に作用する力を示している。これらの図から分かるように、上記力Ｑはいずれも、揺動側板状部３２の軸支持孔３３におけるハッチング部Ｄ側において受け止められる。
【００３６】
なお、以上の実施形態では、パチンコ機の左上部に蝶番装置Ｈ1を設け、左下部に蝶番装置Ｈ2を設けた例を説明したが、これらの蝶番装置は上下逆の構成でも良い。また、上下の蝶番装置に、ともに蝶番装置Ｈ1を設ける構成あっても良い。さらに、固定金具と揺動金具の取り付け位置は外枠と前枠が逆の配置構成であっても良い。
【００３７】
以上の実施形態では遊技機の一例としてパチンコ機を採り上げ、外枠１と前枠２との間に適用した場合について説明したが、本発明はかかる遊技機や配設部位に限定されるものではない。例えば、パチンコ機においては前枠に対して揺動開閉および着脱が自在に取り付けられるガラス扉や裏機構盤（裏セット盤）について同様に適用可能であり、スロットマシンにおいては筐体に対して揺動開閉および着脱が自在に取り付けられるフロントマスクやメダル皿について同様に適用可能である。
【００３８】
【発明の効果】
以上説明したように、第１の本発明に係る蝶番装置によれば、ベース部材および開閉部材の一方に固設されて上下方向に突出する軸状体を有する第１ヒンジ部材と、他方に固設されて水平に突出する板状部を有する第２ヒンジ部材とを有し、板状部に側方に開口した導入部を有して形成された軸支持孔にこの導入部を通って軸状体を導入した後に保持部材により軸状体を支持孔内に保持させるように構成されているので、ベース部材（外枠）に対して開閉部材（前枠）を接続させるときに、上下２カ所の軸支持孔と支軸とを同時に位置合わせ（芯出し）して係合させるような微妙な調整操作が必要なく、少なくとも一方の蝶番装置については第１ヒンジ部材に対して第２ヒンジ部材を側方から近づけて第１ヒンジ部材の軸状体を第２ヒンジ部材の導入部を通って軸支持孔内に導入させた後に、保持部材により軸状体を軸支持孔内に保持させるだけで、第１および第２ヒンジ部材を簡単にヒンジ結合させることができ、この状態では、軸状体は保持部材により保持されているため、開閉部材をどのような開閉位置に回動させてもヒンジ結合状態をしっかりと維持することができる。このため、板状部への導入開口の配設位置が制限されることがなく、前枠の組立が行い易い位置に導入開口を形成して前枠の組立作業を容易にすることができる。
【００３９】
また、導入部は軸支持孔の側方に開口しているため、開閉部材の重量によりヒンジ接続部に水平前方に作用する力は導入部を外れた軸支持孔内面と軸状体との当接部に作用し、ヒンジ接続部に水平前方に作用する力を鋼板などから作られる強度の高い板状部により受けることができ、十分な強度を確保できる。一方、保持部材は上記水平前方に作用する力を受け止める必要はないため大きな強度は要求されず、保持部材を樹脂等から作ってコスト低減を図ることが可能である。
【００４０】
また、第２の本発明に係る蝶番装置も、ベース部材および開閉部材のいずれか一方に固定されて上下方向に突出する軸状体を有する第１ヒンジ部材と、他方に固定されて水平に突出する板状部を有し、この板状部に側方に開口した第１導入部を有する第１軸支持孔が形成され、第１軸支持孔と同軸に且つ上下に連通する第２軸支持孔および側方に開口した第２導入部が形成された保持部材が板状部に回動可能に取り付けられて構成されているので、ベース部材（外枠）に対して開閉部材（前枠）を接続させるときに、第１ヒンジ部材に対して第２ヒンジ部材を側方から近づけ、上下に連通させた状態の第１および第２導入部を通って軸状体を第１および第２軸支持孔内に導入し、次いで、保持部材を回動させて第２導入部の位置を移動させるという簡単な操作で、第１および第２ヒンジ部材をヒンジ結合させることができる。このため、従来のように上下２カ所の軸支持孔と支軸とを同時に位置合わせ（芯出し）して係合させるような微妙な調整操作が必要ではなく、また、このようにヒンジ結合した状態では、軸状体は保持部材により保持されて軸支持孔から外れでないようになっているため、開閉部材をどのような開閉位置に回動させてもヒンジ結合状態をしっかりと維持することができる。
【００４１】
また、この場合においても、板状部に形成された第１導入部は第１軸支持孔の側方に開口していため、開閉部材の重量によりヒンジ接続部に水平前方に作用する力は導入部を外れた軸支持孔内面と軸状体との当接部に作用し、ヒンジ接続部に水平前方に作用する力を鋼板などから作られる強度の高い板状部により受けることができ、十分な強度を確保できる。また、第１の発明と同様に、保持部材は上記水平前方に作用する力を受け止める必要はないため、保持部材を樹脂等から作ってコスト低減を図ることが可能である。
【図面の簡単な説明】
【図１】本発明に係る蝶番装置を備える遊技機の一例として示すパチンコ機の外観正面図である。
【図２】上記パチンコ機における下側の蝶番装置を示す斜視図である。
【図３】本発明の実施形態となる上記パチンコ機における上側の蝶番装置を、外枠側と前枠側とに分離した状態で示す斜視図である。
【図４】上記実施形態に係る上側の蝶番装置を、外枠側と前枠側とに分離した状態で示す平面図である。
【図５】上記上側の蝶番装置における上揺動金具の一部を保持部材を取り外した状態で示す斜視図である。
【図６】上記上側の蝶番装置をヒンジ結合する前および結合後の状態について示す平面図である。
【図７】上記上側の蝶番装置をヒンジ結合する途中の状態について示す側面図である。
【図８】上記上側の蝶番装置の一部をヒンジ結合する途中の状態について示す断面図である。
【図９】上記上側の蝶番装置をヒンジ結合した状態で、前枠を開放した状態および閉止した状態で示す平面図である。
【図１０】従来の蝶番装置の一例を示す斜視図である。
【図１１】従来の蝶番装置の別の例を示す斜視図である。
【符号の説明】
Ａx  揺動軸
Ｈ1  上側の蝶番装置
Ｈ2  下側の蝶番装置
ＰＭ  パチンコ機
１  外枠
２  前枠
４  施錠装置
５  ガラス扉
６  上球皿
７  下球皿
８  操作ハンドル
９  遊技盤
１０  上固定金具（第１ヒンジ部材）
１１  固定側基部（第１基部）
１２  上辺部
１２ａ，１３ａ  ビス
１３  側辺部
１４  前辺部
１５  固定側板状部
１６  貫通孔
２０  支軸
２１  フランジ部
２２  円筒部
２２ａ  面取り
２３  平面部
３０  上揺動金具（第２ヒンジ部材）
３１  揺動側基部
３１ａ  取り付け位置決め突起
３２  揺動側板状部
３３  第１軸支持孔
３４  第１導入部
３５  開口壁面
３５ａ  導入ガイド面
３６  ネジ孔
３８  ネジ
４０  保持部材
４１  フランジ部
４２  第２導入部
４３  開口壁面
４３ａ  内周端
４４  長孔
４５  柱状部
４６  第２支持孔
４９  取付ネジ
１１０  下固定金具
１１１  固定側基部
１１２  固定側板状部
１１５  支軸
１３０  下揺動金具
１３１  揺動側基部
１３２  揺動側板状部
１３５  軸支持孔
８００，８００′  第１ヒンジ部材
８０１  第１板状部
８０２  軸支持孔
８０３  導入開口
８０５，８０５′  第２ヒンジ部材
８０６  第２板状部
８０７  支軸
８０７ａ  平面部
【図１】
0004318134.tif 000002
【図２】
0004318134.tif 000003
【図３】
0004318134.tif 000004
【図４】
0004318134.tif 000005
【図５】
0004318134.tif 000006
【図６】
0004318134.tif 000007
【図７】
0004318134.tif 000008
【図８】
0004318134.tif 000009
【図９】
0004318134.tif 000010
【図１０】
0004318134.tif 000011
【図１１】
0004318134.tif 000012